(57)【要約】【課題】使用者の少ない発信操作の回数で通信させる。【解決手段】通話制御部２１、ＳＭ送受信部２２、電子メール送受信部２３、又は、ブラウザ部２４による発信が移動通信網の発信規制のために失敗すると、発信予約部３１は、その発信に係る情報を予約発信記憶部３３に記憶させる。移動通信網の発信規制が解除されると、予約発信処理部３２は、予約発信記憶部３３に記憶された発信を送受信部１３に要求する。この要求に際し、入力部１６の操作によって選択された発信を選択する。特に、その発信に係る通信が使用者の入力を必要とする場合、使用者が側にいることを入力部１６の操作によって確認する。【選択図】図１
2010273116.tif 000002
【特許請求の範囲】
【請求項１】
キー入力手段と、
記憶手段と、
通信網と信号の送受信をする送受信手段と、
発信に係る情報からなる予約発信を前記記憶手段に記憶させる発信予約手段と、
前記通信網による発信規制が解除された後、前記キー入力手段の所定の操作によって選択された予約発信に基づく発信を前記送受信手段に要求する予約発信処理手段とを有する
ことを特徴とする通信装置。
【請求項２】
キー入力手段と、
記憶手段と、
通信網と信号の送受信をする送受信手段と、
通信アプリケーションを識別する情報を含む発信に係る情報からなる予約発信を前記記憶手段に記憶させる発信予約手段と、
前記通信網による発信規制が解除された後、前記キー入力手段の所定の操作があった場合、装置の使用者からの入力を伴う通信アプリケーションを識別する情報を含む前記記憶手段に記憶された予約発信に基づく発信を前記送受信手段に要求する予約発信処理手段とを有する
ことを特徴とする通信装置。
【請求項３】
前記装置の使用者からの入力を伴う通信アプリケーションは、通話、又は、ウェブページへのアクセスである
ことを特徴とする請求項２に記載の通信装置。
【請求項４】
キー入力手段と、
記憶手段と、
通信網と信号の送受信をする送受信手段と、
通信アプリケーションを識別する情報を含む発信に係る情報からなる予約発信を前記記憶手段に記憶させる発信予約手段と、
前記通信網による発信規制が解除された後、前記キー入力手段の所定の操作がなかった場合、装置の使用者からの入力を伴わない通信アプリケーションを識別する情報を含む前記記憶手段に記憶された予約発信に基づく発信を前記送受信手段に要求する予約発信処理手段とを有する
ことを特徴とする通信装置。
【請求項５】
前記装置の使用者からの入力を伴わない通信アプリケーションは、伝言板への記憶のための送話、ショートメッセージの送信、又は、電子メールの送信である
ことを特徴とする請求項４に記載の通信装置。
【請求項６】
キー入力手段と、
記憶手段と、
通信網と信号の送受信をする送受信手段と、
前記送受信手段による送受信を介した通信と、装置の使用者からの入力とを伴う処理をする第１の通信アプリケーション手段と、
前記送受信手段による送受信を介した通信を伴い、かつ、装置の使用者からの入力を伴わない処理をする第２の通信アプリケーション手段と、
前記第１の通信アプリケーション手段の要求、又は、前記第２の通信アプリケーション手段の要求に従って行われた前記送受信手段による発信が、前記通信網によって発信規制されていることによって失敗した場合、前記要求をした第１又は第２の通信アプリケーション手段を識別する情報を含む前記発信に係る情報を前記記憶手段に記憶させる発信予約手段と、
前記通信網による発信規制が解除された後、前記記憶手段に情報が記憶された発信であって、前記キー入力手段の所定の操作によって選択された発信を前記送受信手段に要求する予約発信処理手段とを有する
ことを特徴とする通信装置。
【請求項７】
キー入力手段と、
記憶手段と、
通信網と信号の送受信をする送受信手段と、
前記送受信手段による送受信を介した通信と、装置の使用者からの入力とを伴う処理をする第１の通信アプリケーション手段と、
前記送受信手段による送受信を介した通信を伴い、かつ、装置の使用者からの入力を伴わない処理をする第２の通信アプリケーション手段と、
前記第１の通信アプリケーション手段の要求、又は、前記第２の通信アプリケーション手段の要求に従って行われた前記送受信手段による発信が、前記通信網によって発信規制されていることによって失敗した場合、前記要求をした第１又は第２の通信アプリケーション手段を識別する情報を含む前記発信に係る情報を前記記憶手段に記憶させる発信予約手段と、
前記通信網による発信規制が解除された後、前記キー入力手段の所定の操作があった場合、前記記憶手段に記憶された情報によって識別される前記第１の通信アプリケーション手段に係る発信を前記送受信手段に要求する予約発信処理手段とを有する
ことを特徴とする通信装置。
【請求項８】
キー入力手段と、
記憶手段と、
通信網と信号の送受信をする送受信手段と、
前記送受信手段による送受信を介した通信と、装置の使用者からの入力とを伴う処理をする第１の通信アプリケーション手段と、
前記送受信手段による送受信を介した通信を伴い、かつ、装置の使用者からの入力を伴わない処理をする第２の通信アプリケーション手段と、
前記第１の通信アプリケーション手段の要求、又は、前記第２の通信アプリケーション手段の要求に従って行われた前記送受信手段による発信が、前記通信網によって発信規制されていることによって失敗した場合、前記要求をした第１又は第２の通信アプリケーション手段を識別する情報を含む前記発信に係る情報を前記記憶手段に記憶させる発信予約手段と、
前記通信網による発信規制が解除された後、前記キー入力手段の所定の操作がなかった場合、前記記憶手段に記憶された情報によって識別される前記第２の通信アプリケーション手段に係る発信を前記送受信手段に要求する予約発信処理手段とを有する
ことを特徴とする通信装置。
【請求項９】
記憶手段と、
通信網と信号の送受信をする送受信手段と、
発信を識別する情報を前記記憶手段に記憶させる発信予約手段と、
前記記憶手段に記憶された情報によって識別される発信を前記送受信手段に要求する予約発信処理手段とを有し、
前記予約発信処理手段は、所定の時間の経過を待つことと、前記記憶手段に記憶された情報によって識別される発信を前記送受信手段に要求することとをその発信が行われるまで繰り返し、前記所定の時間を、前記繰り返した回数の単調非増加関数である平均値を取る乱数として算出する
ことを特徴とする通信装置。
【請求項１０】
通信網と信号の送受信をする送受信手段と、
前記送受信手段による送受信を介した通信を伴う処理をする通信アプリケーション手段と、
記憶手段と、
前記通信アプリケーション手段の要求に従って行われた前記送受信手段による発信が、前記通信網によって発信規制されていることによって失敗した場合、前記発信に係る情報を前記記憶手段に記憶させる発信予約手段と、
前記通信網による発信規制が解除された後、前記記憶手段に記憶された情報によって識別される発信を前記送受信手段に要求する予約発信処理手段とを有し、
前記予約発信処理手段は、所定の時間の経過を待つことと、前記記憶手段に記憶された情報によって識別される発信を前記送受信手段に要求することとをその発信が行われるまで繰り返し、前記所定の時間を、前記繰り返した回数の単調非増加関数である平均値を取る乱数として算出する
ことを特徴とする通信装置。
【発明の詳細な説明】
【技術分野】
【０００１】
本発明は通信装置に係り、特に、失敗した発信を再度行う処理に関する。
【背景技術】
【０００２】
公衆通信網は、例えば、災害が発生した地域で輻輳状態となる可能性がある。その地域に住む人の安否を問い合わせるための通信（通信は、データ通信に限らず、音声通話を含む。）が多く発生するためである。また、移動通信網は、イベントが行われている地域で輻輳状態となる可能性がある。そのイベントに参加している人の所持する移動通信装置による通信が多く発生するためである。更に、通信網の一部の装置に支障が生じることにより、輻輳状態となる可能性がある。
【０００３】
通信網が輻輳状態になると、通信事業者は発信（発信は、データ通信を開始する処理に限らず、音声通話を開始する発呼処理を含む。）の規制を行い、一部の通信装置からの発信のみを通信網に処理させる。しかし、発信規制が行われたとしても、通信装置の使用者は、発信操作を繰り返し行い、その発信に係る通信は行われないことが必ずしも少なくない。
【０００４】
なぜなら、発信規制により、かかりにくくなっていることを承知で、発信操作を繰り返す使用者が多いからである。また、発信が規制されていない場合であっても、通信網のトラフィック容量を超えた状態での発信は処理されない場合があるからである。その結果、通信装置は無用に電力を消費し、通信網には無用な負荷がかかることがある。更には、通信装置の使用者は不満を覚える恐れがある。
【０００５】
そこで、発信規制が行われている際に使用者によって行われた発信操作に係る通信を記憶し、発信規制が解除された際、乱数に基づく待ち時間を置いた後に記憶された通信を行うことによって、使用者が発信操作を繰り返す必要がなく、かつ、発信の集中を避ける処理が知られている（例えば、特許文献１参照。）。
【０００６】
また、自装置が発信規制の対象であるか否かを検出し、規制の対象である旨、又は、規制が解除された旨を報知し、使用者は、装置が規制の対象である場合の無用な発信操作を避けることができる処理が知られている（例えば、特許文献２参照。）。
【先行技術文献】
【特許文献】
【０００７】
【特許文献１】特開２００７−６７５０３号公報（第４、６頁、図３）
【特許文献２】特開平１０−２４３４６７号公報（第４頁、図２）
【発明の概要】
【発明が解決しようとする課題】
【０００８】
しかしながら、上述した特許文献１に開示されている方法では、通話、電子メールの送受信等、複数の種類の通信を提供する通信装置で、使用者の所望の通信を如何に早く行うかが考慮されていない問題点があった。また、上述した特許文献２に開示されている方法では、使用者は、規制されている際に発信操作を行わないことが可能であるものの、規制解除の際、発信を繰り返す必要がないとは限らない問題点があった。
【０００９】
本発明は上記問題点を解決するためになされたもので、使用者の少ない発信操作の回数で通信する通信装置を提供することを目的とする。
【課題を解決するための手段】
【００１０】
上記目的を達成するために、本発明の通信装置は、キー入力手段と、記憶手段と、通信網と信号の送受信をする送受信手段と、発信に係る情報からなる予約発信を前記記憶手段に記憶させる発信予約手段と、前記通信網による発信規制が解除された後、前記キー入力手段の所定の操作によって選択された予約発信に基づく発信を前記送受信手段に要求する予約発信処理手段とを有することを特徴とする。
【発明の効果】
【００１１】
本発明によれば、使用者の少ない発信操作の回数で通信することができる。
【図面の簡単な説明】
【００１２】
【図１】本発明の実施形態に係る移動通信装置の構成を示すブロック図。
【図２】本発明の実施形態に係る予約発信の一例を示す図。
【図３】本発明の実施形態に係る発信予約部の予約発信を記憶させる動作のフローチャート。
【図４】本発明の実施形態に係る予約発信処理部の予約発信を発信する動作のフローチャート（その１）。
【図５】本発明の実施形態に係る予約発信処理部の予約発信を発信する動作のフローチャート（その２）。
【図６】本発明の実施形態に係る予約発信処理部の予約発信を発信する動作のフローチャート（その３）。
【発明を実施するための形態】
【００１３】
以下に、本発明の実施形態に係る通信装置が適用された移動通信装置の実施の形態を、図面を参照して説明する。図１は、本発明の実施形態に係る移動通信装置の構成を示すブロック図である。この移動通信装置は、装置全体の制御を行う制御部１１と、移動通信網の基地局（図示せず）との間で電波の送受信を行うアンテナ１２ａと、通信部１２ｂと、送受信部１３と、受話に用いられるスピーカ１４ａと、主に送話に用いられるマイクロフォン１４ｂと、通話部１４ｃと、表示部１５と、入力部１６と、通話制御部２１と、ショートメッセージ送受信部（以後、ＳＭ送受信部と称する。）２２と、電子メール送受信部２３と、ブラウザ部２４と、発信予約部３１と、予約発信処理部３２と、予約発信記憶部３３とからなる。
【００１４】
ここで、通話制御部２１と、ＳＭ送受信部２２と、電子メール送受信部２３と、ブラウザ部２４とは、移動通信網との通信を伴うアプリケーションである。なお、プログラムを実行することで実現される本発明に関する機能として、制御部１１には、規制状況監視機能１１−１が含まれる。また、予約発信記憶部３３には、予約発信が記憶される。
【００１５】
上記のように構成された、本発明の実施形態に係る情報処理装置の各部の動作を、図１を参照して説明する。
【００１６】
規制状況監視機能１１−１は、基地局から送信されたＡＡＣ（Access Control Class）毎に発信が規制されているか否かを示す報知制御信号を受信する。そして、自装置のＡＡＣを参照して、自装置は発信が規制されているか否かを報知制御信号の受信の度に判断する。そして、装置の各部の照会に応じて、規制されているか否かを通知する。及び／又は、規制が解除された際、所定の動作を行う。
【００１７】
なお、発信の分離規制を行う移動通信網では、主に音声通話に用いられる回線交換と、主にデータ通信に用いられるパケット交換とを分離して、回線交換とパケット交換とを同時又はどちらか一方を個別に、規制／規制解除を通知するため、規制状況監視機能１１−１は、回線交換と、パケット交換とのそれぞれについて自装置は発信が規制されているか否かを判断し、各部の照会に応じて規制されているか否かを通知する。
【００１８】
通信部１２ｂは、アンテナ１２ａが受信した高周波信号を送受信部１３へ出力し、また、送受信部１３から出力される高周波信号をアンテナ１２ａより送信する。
【００１９】
送受信部１３は、通信部１２ｂからの高周波信号を増幅、周波数変換及び復調し、それによって得られた信号を装置の各部へ、例えば、制御信号を制御部１１へ送る。また、装置の各部から送信された信号、例えば、制御部１１から送信された制御信号を変調、周波数変換及び増幅し、高周波信号を得て、それを通信部１２ｂに送る。
【００２０】
また、送受信部１３は、基地局から着信信号を受信すると、その信号に応答し、指定された通信チャネルを用いて通信を行う。この応答の前に、入力部１６の所定のキー操作を必要とすることがある。例えば、通話着信に応答する場合、着呼キーの操作を必要とする。
【００２１】
更に、送受信部１３は、装置の各部から発信要求を受信すると、以下の手順で基地局との間の通信チャネルを確保する。ここで、回線交換の発信を行うか、又は、パケット交換の発信を行うかは、各部によって指定される。
【００２２】
（ａ）基地局へ、共通信号チャネルで発信要求を送信し、
（ｂ）基地局から共通信号チャネルで発信可の旨及び指定された個別信号チャネルを受信し、
（ｃ）基地局へ、指定された個別信号チャネルで回線交換の発信かパケット交換の発信かを伴って、個別トラフィックチャネルの要求を送信し、
（ｄ）基地局から、指定された個別信号チャネルでチャネル割当て可の旨及び指定された個別トラフィックチャネルを受信する。
【００２３】
このように指定された個別トラフィックチャネルを通信チャネルとして、送受信部１３は、各部からの発信要求に係わる通信を行う。なお、自装置が回線交換の規制対象である場合、送受信部１３は、回線交換の発信に係るチャネルを要求する動作を行わない。また、自装置がパケット交換の規制対象である場合、パケット交換の発信に係るチャネルを要求する動作を行わない。また、移動通信網が輻輳状態にあると、上記手順で、基地局から発信可、又は、チャネル割当て可が送信されず、その結果、通信チャネルの確保が行われないことがある。
【００２４】
なお、送受信部１３は、発信要求を送信した各部に対し、上記手順に従って通信チャネルの確保が行われたか否か、言い換えると、発信が成功したか失敗したかを通知する。ここで、後述するように、上記（ｂ）の発信可を受信した後、発信要求を送信した各部から発信処理続行の指示を受信した場合に上記（ｃ）の個別トラフィックチャネルの要求を送信することがある。
【００２５】
送受信部１３は、このように確保された通信チャネルを介して受信されたディジタル音声信号を通話部１４ｃへ、ショートメッセージをＳＭ送受信部２２へ、電子メール信号を電子メール送受信部２３へ、インターネットコンテンツ信号をブラウザ部２４へ送る。また、通話部１４ｃから出力されるディジタル音声信号、ＳＭ送受信部２２から出力されるショートメッセージ、電子メール送受信部２３から出力される電子メール信号、及び、ブラウザ部２４から出力されるウェブアクセス信号を通信チャネルを介して送信する。
【００２６】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。ここで、ディジタル音声信号は、回線交換を利用して送受される信号と、パケット交換を利用して送受されるＩＰ（Internet Protocol）パケット化された信号とのいずれか一方である。
【００２７】
表示部１５は、使用者に操作を促す表示や、使用者が操作した内容の表示や、装置の動作状態の表示等に用いられるバックライト付きのＬＣＤであり、制御部１１に制御されることで、カーソルを含む文字・数字を含む画像データを最高輝度で表示し、表示されているデータは、入力部１６からの入力操作や着信信号に応答して制御部１１からの指示を受けることで切換わる。
【００２８】
入力部１６は、通信相手の電話番号等を指定し、また、トグル式の入力方式によってひらがな文字、アルファベット文字及び記号文字を入力するための数字キーと、カーソル移動キーやスクロールキーを含む複数の機能キーとを含むキーからなる。そして、入力部１６のキーが押下されると、そのキーの識別子を制御部１１に通知する。
【００２９】
通話制御部２１は、入力部１６の所定のキー操作によって入力された電話番号で識別される通信装置へ発呼し、通話部１４ｃを制御して通話を行わせる。また、通話着信がある旨の制御信号が受信されると、その旨を報知し、入力部１６の所定の着呼操作がされると、その着信に着呼して通話を行わせる。通話は、回線交換を利用して行わせるが、音声信号をＩＰパケット化させ、パケット交換を利用して行わせることもある。なお、通話には、装置の使用者の送話のマイクロフォン１４ｂによる入力が当然に必要である。
【００３０】
なお、伝言板への音声信号の記憶は、伝言板登録サービスに対応する電話番号への発呼と、送話によって行われる。また、伝言板に記憶された音声信号の受話は、伝言板閲覧サービスに対応する電話番号への発呼と、伝言板に音声を記憶させた通信装置を識別する情報の送信によって行われる。又は、その音声を記憶した通信装置への発呼によって行われる。
【００３１】
ＳＭ送受信部２２は、ショートメッセージサービス（Short Message Service）を行う。即ち、入力部１６の所定のキー操作によって入力された電話番号で識別される通信装置へ、入力部１６の所定のキー操作によって入力されたショートメッセージを送信し、また、受信されたショートメッセージを表示部１５に表示させる。ショートメッセージの送受信は、回線交換を利用して行われるが、ショートメッセージ信号をＩＰパケット化することによって、パケット交換を利用して行われることもある。
【００３２】
電子メール送受信部２３は、電子メールの送受信を行う。即ち、入力部１６の所定のキー操作によって入力された電子メールアドレス宛ての、入力部１６の所定のキー操作によって入力された電子メールをメールサーバ装置（図示せず）に対して送信し、また、メールサーバ装置から送信された電子メールを受信して、表示部１５に表示させる。メールサーバ装置との通信は、パケット交換を利用して行われる。
【００３３】
ブラウザ部２４は、入力部１６の所定のキー操作によって指定されたウェブページアドレスによって識別されるウェブサーバ装置（図示せず）に記憶されるインターネットコンテンツ、即ち、ウェブサーバ装置に記憶されたウェブページにアクセスして、送受信部１３を介してダウンロードし、再生する。即ち、そのコンテンツに含まれる静止画像及び動画像、並びに、文字を表示部１５に表示させ、そのコンテンツに含まれる音声をスピーカ１４ａ又はコンテンツ音声発生用の第２のスピーカ（図示せず）から発生させる。更に、入力部１６の所定のキー操作に基づいて、上記のアドレスと異なるウェブページアドレスによって識別されるウェブページにアクセスして、再生する。なお、ウェブサーバ装置との通信は、パケット交換を利用して行われる。
【００３４】
また、ブラウザ部２４は、伝言登録用のページにアクセスし、そのページに設けられた伝言板に、入力部１６の所定のキー操作によって入力された文字と、自装置の識別情報とを関連付けて記憶させる。この伝言板に記憶された文字は、その文字に関連付けられた識別情報を指定することによってダウンロードされ、表示部１５に表示させることができる。
【００３５】
発信予約部３１は、通話制御部２１、ＳＭ送受信部２２、電子メール送受信部２３、及びブラウザ部２４の要求に従った送受信部１３の発信が失敗した場合、その発信に係わる情報を予約発信記憶部３３に予約発信として記憶させる。なお、発信の失敗は、装置が発信規制の対象であるために通信チャネルの確保がされなかった場合に発生する。
【００３６】
予約発信処理部３２は、規制状況監視機能１１−１によって自装置は発信が規制されていないとの通知がされた場合、予約発信記憶部３３に記憶された予約発信に従った発信、更に、その発信に係る通信を通話制御部２１、ＳＭ送受信部２２、電子メール送受信部２３、及びブラウザ部２４に行わせる。
【００３７】
続いて、予約発信記憶部３３に記憶される予約発信を説明する。図２は、予約発信の一例を示す。この予約発信は、発信種別３３ａと、発信先３３ｂと、付属情報３３ｃと、交換３３ｄとが関連付けられた情報である。
【００３８】
発信種別３３ａは、失敗した発信の種別を示し、「通話」、「通話による伝言登録」、「ショートメッセージ送信」、「電子メール送信」、「ウェブサーバへのアクセス」、及び「ウェブサーバによる伝言登録」の中のいずれかである。
【００３９】
発信先３３ｂは、失敗した発信の発信先であり、電話番号、電子メールアドレス、及びウェブページアドレスのいずれかである。付属情報３３ｃは、失敗した発信に係わる通信で送信が予定されていた情報であって、音声情報、ショートメッセージ、電子メール、及び文字情報のいずれか１つであり、又は、記憶されていない。なお、付属情報３３ｃは、記憶に大きな容量を必要とするものもある。そこで、ファイル（図示せず）として記憶させ、付属情報３３ｃは、そのファイルの識別子を記憶するとしても良い。
【００４０】
交換３３ｄは、失敗した発信に係わる通信で利用される交換システムを示し、「回線交換」、及び「パケット交換」のいずれか一方であり、又は、記憶されていない。交換３３ｄが記憶されていない場合、発信種別３３ａによって識別される発信は、いずれか一方の交換システムの利用によってのみ可能であること、又は、任意の交換システムの利用によることを意味する。
【００４１】
図２に示す各予約発信を詳説する。発信種別３３ａが「通話」である予約発信は、通話制御部２１による通話のための発呼であって、次に説明する発信種別３３ａが「通話による伝言登録」以外の発信である。発信先３３ｂは、その発呼の際に指定された電話番号である。
【００４２】
付属情報３３ｃには、何も記憶されない。通話の際、事前に定められた音声が送信されるだけでなく、通話の際に装置の側に使用者がいて、通話相手方の音声が受信されることによって対話が行われる。そこで、通話の際に送信が予定されていた情報は不定であり、また、使用者の受話が必須だからである。
【００４３】
なお、伝言板に記憶された音声信号の受話を目的とする通話は、音声の送信が伴わないにせよ、発信種別３３ａは「通話」である。使用者が装置の側にいて、受話が必須だからである。ここで、受話された音声が装置内に使用者の操作なしに記憶される場合、使用者の受話は不要であって、使用者は、装置の側にいる必要はない。そこで、その場合、次に説明する発信種別３３ａが「通話による伝言登録」である予約発信に準じて記憶させる。
【００４４】
交換３３ｄは、通話は、いずれの交換システムを利用しても可能であるので、「回線交換」、又は「パケット交換」が記憶されても良く、また、何も記憶されなくとも良い。図示した例では、「回線交換」が記憶されているとした。これは、例えば、特に音質の良い通話が必要とされる場合である。
【００４５】
発信種別３３ａが「通話による伝言登録」である予約発信は、通話制御部２１による伝言板登録サービスに対応する電話番号への発呼と、送話である。発信先３３ｂは、その発呼の際に指定された電話番号である。
【００４６】
付属情報３３ｃは、伝言板に記憶させる音声情報である。この記憶させる音声情報は、相手方との対話に依存して変化するものではないから、発信に先立って記憶させておくことができる。言い換えると、発信種別３３ａが「通話による伝言登録」である予約発信が行われる際、使用者が装置の側にいることは必ずしも必要ではない。
【００４７】
交換３３ｄは、上述した発信種別３３ａが「通話」である予約発信の場合と同じであり、図示した例では、何も記憶されていないことにより、いずれの交換システムを利用しても良いとした。
【００４８】
発信種別３３ａが「ショートメッセージ送信」である予約発信は、ＳＭ送受信部２２によるショートメッセージの送信である。発信先３３ｂは、その送信の際に指定された電話番号である。付属情報３３ｃは、送信されるショートメッセージである。ショートメッセージは、その送信に先立って入力されるものであるから、発信に先立って記憶させておくことができる。交換３３ｄは、上述した発信種別３３ａが「通話」である予約発信の場合と同じであり、図示した例では、何も記憶されていないことにより、いずれの交換システムを利用しても良いとした。
【００４９】
発信種別３３ａが「電子メール送信」である予約発信は、電子メール送受信部２３による電子メールの送信である。発信先３３ｂは、その送信の際に指定された電子メールアドレスである。付属情報３３ｃは、送信される電子メールである。電子メールは、その送信に先立って入力されるものであるから、発信に先立って記憶させておくことができる。交換３３ｄは、電子メールの送信は、パケット交換の利用によってのみ可能であるから、「パケット交換」が記憶される、又は、何も記憶されない。いずれの場合でも、利用される交換システムに相違はない。
【００５０】
発信種別３３ａが「ウェブサーバへのアクセス」である予約発信は、ブラウザ部２４によるウェブページであって、次に説明する「ウェブサーバによる伝言登録」に対応するウェブページ以外へのアクセスである。発信先３３ｂは、そのアクセスの際に指定されたウェブページアドレスである。付属情報３３ｃには、何も記憶されない。ウェブページへのアクセスの後、リンク付けられた如何なるページへアクセスされるかは事前には定めることができず、アクセスされた際の使用者の操作に依存する。交換３３ｄは、上述した発信種別３３ａが「電子メール送信」である予約発信の場合と同じである。
【００５１】
発信種別３３ａが「ウェブサーバによる伝言登録」である予約発信は、ブラウザ部２４による伝言登録サービスに対応するウェブページへのアクセスと、伝言の送信である。発信先３３ｂは、そのアクセスの際に指定されたウェブページアドレスである。付属情報３３ｃは、伝言板に記憶させる文字情報である。この記憶させる文字情報は、そのアクセスしたウェブページに依存して変化するものではないから、発信に先立って入力部１６によって入力された文字を記憶させておくことができる。言い換えると、発信種別３３ａが「ウェブサーバによる伝言登録」である予約発信が行われる際、使用者が装置の側にいることは必ずしも必要ではない。交換３３ｄは、上述した発信種別３３ａが「電子メール送信」である予約発信の場合と同じである。
【００５２】
次に、図３に示すフローチャートを参照して、上記構成の移動通信装置における、発信予約部３１によって予約発信が予約発信記憶部３３に記憶される動作を説明する。
【００５３】
発信予約部３１は、通話制御部２１、ＳＭ送受信部２２、電子メール送受信部２３、又はブラウザ部２４が、それぞれ、発呼、ショートメッセージの送信、電子メールの送信、ウェブページへのアクセスを要求し、その要求が発信規制のために失敗した際に、動作を開始する（ステップＳ１０１）。そして、発信に失敗した部を調べ、その部からパラメータを受信し（ステップＳ１０２）、受信したパラメータを参照して、その部に依存した予約発信を予約発信記憶部３３に記憶させて（ステップＳ１０３）、動作を終了する（ステップＳ１０４）。
【００５４】
ここで、ステップＳ１０３の発信を失敗した部に依存した予約発信を、図２に示す予約発信の一例を参照して説明する。なお、いずれの場合であっても、交換３３ｄには何も記憶させないことを原則とする。ただし、発信を失敗した部が通話制御部２１である場合、表示部１５に特に音質の良い通話を希望するか否かを表示させ、希望する旨が入力部１６の所定のキー操作によって入力された場合、交換３３ｄには、「回線交換」を設定する。
【００５５】
発信を失敗した部が通話制御部２１である場合、発信予約部３１は、パラメータとして発信先の電話番号を受信する。そして、発信予約部３１内に記憶された伝言登録サービスに対応する電話番号を参照して、又は、入力部１６の所定のキー操作によって、失敗した発信は、伝言登録を目的としていたか否かを判断する。
【００５６】
その発信は、伝言登録を目的としていたと判断された場合、発信予約部３１は、発信種別３３ａに「通話による伝言登録」を、発信先３３ｂに受信された電話番号を設定する。そして、付属情報３３ｃに設定する音声情報をマイクロフォン１４ｂから入力する旨を表示部１５に表示させ、その表示に応じて入力された音声情報を付属情報３３ｃに設定する。又は、事前に発信予約部３１内に記憶されていた音声情報、例えば、「○○にいます。」を付属情報３３ｃに設定する。又は、事前に発信予約部３１内に記憶されていた複数の音声情報を識別する情報の一覧を表示部１５に表示させ、その一覧から入力部１６の所定のキー操作によって選択された音声情報を付属情報３３ｃに設定する。このように設定された予約発信を予約発信記憶部３３に記憶させる。
【００５７】
その発信は、伝言登録を目的としていたと判断されない場合、発信予約部３１は、発信種別３３ａに「通話」を、発信先３３ｂに受信された電話番号を設定する。そして、付属情報３３ｃには何も設定しない。そして、このように設定された予約発信を予約発信記憶部３３に記憶させる。
【００５８】
発信を失敗した部がＳＭ送受信部２２である場合、発信予約部３１は、パラメータとして発信先の電話番号と、ショートメッセージとを受信する。そして、発信種別３３ａに「ショートメッセージ送信」、発信先３３ｂに受信された電話番号を、付属情報３３ｃに受信されたショートメッセージを設定した予約発信を予約発信記憶部３３に記憶させる。
【００５９】
発信を失敗した部が電子メール送受信部２３である場合、発信予約部３１は、パラメータとして発信先の電子メールアドレスと、電子メールとを受信する。そして、発信種別３３ａに「電子メール送信」、発信先３３ｂに受信された電子メールアドレスを、付属情報３３ｃに受信された電子メールを設定した予約発信を予約発信記憶部３３に記憶させる。
【００６０】
発信を失敗した部がブラウザ部２４である場合、発信予約部３１は、パラメータとして発信先のウェブページアドレスを受信する。そして、予約発信記憶部３３に記憶された伝言板に対応するウェブページアドレスを参照して、又は、入力部１６の所定のキー操作によって、失敗した発信は、伝言登録を目的としていたか否かを判断する。
【００６１】
その発信は、伝言登録を目的としていたと判断された場合、発信予約部３１は、発信種別３３ａに「ウェブサーバによる伝言登録」を、発信先３３ｂに受信されたウェブページアドレスを設定する。そして、付属情報３３ｃに設定する文字情報の入力部１６を介した入力を促すメッセージを表示部１５に表示させ、その表示に応じて入力された文字情報を付属情報３３ｃに設定する。又は、事前に発信予約部３１内に記憶されていた文字情報、例えば、「○○にいます。」を付属情報３３ｃに設定する。又は、事前に発信予約部３１内に記憶されていた複数の文字情報を識別する情報の一覧を表示部１５に表示させ、その一覧から入力部１６の所定のキー操作によって選択された文字情報を付属情報３３ｃに設定する。このように設定された予約発信を予約発信記憶部３３に記憶させる。
【００６２】
その発信は、伝言登録を目的としていたと判断されない場合、発信予約部３１は、発信種別３３ａに「ウェブサーバへのアクセス」を、発信先３３ｂに受信されたウェブページアドレスを設定する。そして、付属情報３３ｃには何も設定しない。そして、このように設定された予約発信を予約発信記憶部３３に記憶させる。
【００６３】
なお、上記動作の他、発信予約部３１は、入力部１６の所定のキー操作に従って動作を開始し、通話制御部２１、ＳＭ送受信部２２、電子メール送受信部２３、及びブラウザ部２４の動作と関係なく、予約発信を予約発信記憶部３３に記憶させる（図示せず）。また、予約発信記憶部３３に記憶された予約発信の一覧を表示部１５に表示させ、また、入力部１６の所定のキー操作に従って選択された予約発信を予約発信記憶部３３から削除し、また、更新する（図示せず）。
【００６４】
次に、図４〜図６に示すフローチャートを参照して、上記構成の移動通信装置における、予約発信処理部３２によって予約発信記憶部３３に記憶された予約発信が発信される動作を説明する。予約発信処理部３２は、予約発信が予約発信記憶部３３に記憶されており、かつ、発信規制の対象であった自装置の発信規制が解除された場合、予約発信記憶部３３に記憶された予約発信を発信する動作を開始する（ステップＳ２０１）。
【００６５】
規制が解除されたことは、予約発信処理部３２が所定時間間隔で規制の状況を規制状況監視機能１１−１に照会することによって判断しても良い。また、規制が解除されたと判断した規制状況監視機能１１−１が予約発信処理部３２を起動しても良い。なお、上記の場合に加え、予約発信処理部３２は、所定時間間隔で規制の状況を規制状況監視機能１１−１に照会し、自装置の発信が規制の対象でない場合、上記の動作を開始しても良い。
【００６６】
予約発信処理部３２は、規制解除された交換が回線交換か、パケット交換かを規制状況監視機能１１−１に照会して判断する（ステップＳ２０２）。その交換が回線交換のみと判断された場合、回線交換によって発信可能な予約発信が予約発信記憶部３３に記憶されているかを判断する（ステップＳ２０３）。回線交換によって発信可能な予約発信は、第１に、交換３３ｄが「回線交換」である予約発信である。第２に、交換３３ｄに値が記憶されず、かつ、発信種別３３ａが「通話」、「通話による伝言登録」又は「ショートメッセージ送信」である予約発信である。
【００６７】
回線交換によって発信可能な予約発信が記憶されていない場合、予約発信処理部３２は、予約発信を発信する動作を終了する（ステップＳ２０４）。その予約発信が記憶されている場合、予約発信処理部３２は、所定の待ち時間を算出し、その時間の経過を待つ（ステップＳ２０５）。この待ち時間は、乱数であり、その乱数の平均値は、待ち回数の単調非増加関数である、即ち、概略待ち回数が少ない程長い時間であり、待ち回数が多い程短い時間である。なお、待ち回数については後述するが、装置に電源が投入された際の待ち回数の初期値は、０である。
【００６８】
待ち時間の経過後、予約発信処理部３２は、自装置の回線交換の発信規制の状況を規制状況監視機能１１−１に照会して判断する（ステップＳ２０６）。規制が解除されている場合、予約発信処理部３２は、回線交換を利用した予約発信に係る通信を行い（ステップＳ２０７）、通信が終了した予約発信を予約発信記憶部３３から削除して（ステップＳ２０８）、予約発信を発信する動作を終了する（ステップＳ２０４）。なお、ステップＳ２０８で、予約発信を削除した際、又は、その削除によって全ての予約発信が削除された際、予約発信処理部３２は、待ち回数を初期値とする（図示せず）。ステップＳ２０７の通信を行う動作は、後で詳述する。また、ステップＳ２０７で、予約発信に係る通信に失敗した場合、ステップＳ２０８の予約発信削除の動作を行わない（図示せず）。
【００６９】
ステップＳ２０６で、規制中と判断された場合、予約発信処理部３２は、待ち回数Ｎに１を加えて（ステップＳ２０９）、予約発信を発信する動作を終了する（ステップＳ２０４）。このように、待ち回数とは、一旦規制が解除されたにも係らず、所定の待ち時間を経過した際に規制中であり、発信を行うことができないことが連続した回数である。ステップＳ２０５で、待ち時間の平均値は、待ち回数の単調非増加関数であるとしたことは、規制が解除された際に発信が集中して、装置が発信の失敗を繰り返すことを避けるためである。これは、装置が消費する電力量の削減に効果がある。
【００７０】
ステップＳ２０２で、規制解除された交換がパケット交換のみと判断された場合、予約発信処理部３２は、パケット交換によって発信可能な予約発信が予約発信記憶部３３に記憶されているかを判断する（ステップＳ２１０）。パケット交換によって発信可能な予約発信は、交換３３ｄが「回線交換」でない予約発信である。
【００７１】
パケット交換によって発信可能な予約発信が記憶されていない場合、予約発信処理部３２は、予約発信を発信する動作を終了する（ステップＳ２０４）。その予約発信が記憶されている場合、予約発信処理部３２は、所定の待ち時間を算出し、その時間の経過を待つ（ステップＳ２１１）。
【００７２】
この待ち時間は、ステップＳ２０５で説明したように、乱数であり、その乱数の平均値は待ち回数の単調非増加関数であるが、ステップＳ２０５で算出される待ち時間の平均値と等しいと限るものではない。その待ち時間の平均値より短い時間であることが適切である。なぜなら、パケット用チャネルは、１つの通信で専有されることがなく、かつ、品質が低下しても通信速度が低下するものの使用できなくなることが少ない。そこで、パケット交換は、回線交換と比較して輻輳状態になることが少ないからである。
【００７３】
待ち時間の経過後、予約発信処理部３２は、自装置のパケット交換の発信規制の状況を規制状況監視機能１１−１に照会して判断する（ステップＳ２１２）。規制が解除されている場合、予約発信処理部３２は、パケット交換を利用した予約発信に係る通信を行い（ステップＳ２１３）、通信が終了した予約発信を予約発信記憶部３３から削除して（ステップＳ２０８）、予約発信を発信する動作を終了する（ステップＳ２０４）。ステップＳ２１３の通信を行う動作は、後で詳述する。また、ステップＳ２１３で、予約発信に係る通信に失敗した場合、ステップＳ２０８の予約発信削除の動作を行わない（図示せず）。
【００７４】
ステップＳ２１２で、規制中と判断された場合、予約発信処理部３２は、待ち回数Ｎに１を加えて（ステップＳ２０９）、予約発信を発信する動作を終了する（ステップＳ２０４）。
【００７５】
ステップＳ２０２で、規制解除された交換が回線交換及びパケット交換と判断された場合、予約発信処理部３２は、回線交換によって発信可能な予約発信が予約発信記憶部３３に記憶されているかを判断する（ステップＳ２１４）。このステップＳ２１４の動作は、ステップＳ２０３の動作と同じである。回線交換によって発信可能な予約発信が記憶されている場合、予約発信処理部３２は、ステップＳ２０５以降の回線交換を利用した予約発信を送信する処理に移る。
【００７６】
回線交換によって発信可能な予約発信が記憶されていない場合、予約発信処理部３２は、ステップＳ２１１以降のパケット交換を利用した予約発信を送信する処理に移る。このように、回線交換の利用を優先する理由は、回線交換は、より発信規制が行われ易い、いわば貴重な交換であるからである。なぜなら、音声用チャネルは、１つの通話で専有され、かつ、品質が低下すると使用できなくなるからである。
【００７７】
次に、ステップＳ２０７の回線交換を利用した予約発信に係る通信処理を図５に示すフローチャートを参照して詳述する。予約発信処理部３２は、回線交換を利用した予約発信に係る通信処理を開始し（ステップＳ３０１）、送受信部１３に個別信号チャネルの指定を受信させる（ステップＳ３０２）。そして、表示部１５に回線交換を利用して行われる予約発信を識別する情報の一覧を表示させて、発信可能となったことを報知する。ここで、報知は、表示に加えて、又は、代えて、報知音を第２のスピーカから発生させ、若しくは、バイブレータ（図示せず）を振動させても良い。
【００７８】
予約発信処理部３２は、その一覧の中から、入力部１６の所定のキー操作によって処理する予約発信を選択させる（ステップＳ３０３）。ここで、この選択には、発信を行わない旨の選択肢を含む。また、その一覧は１つの予約発信からなる場合、予約発信を選択させることと、発信を行うか否かを選択させることとは同じこととなる。
【００７９】
処理すべき予約発信が選択されたか否かを判断し（ステップＳ３０４）、選択されなかった場合、予約発信処理部３２は、回線交換を利用した予約発信に係る通信処理を終了する（ステップＳ３０５）。選択されなかったとは、一覧が表示された後、所定の時間が経過する前に入力部１６のキー操作が行われなかったことを含む。
【００８０】
選択された場合、予約発信処理部３２は、選択された予約発信の発信種別３３ａを判断する（ステップＳ３０６）。その発信種別３３ａが「通話」と判断された場合、予約発信処理部３２は、通話制御部２１に、その発信種別３３ａと関連付けられた発信先３３ｂ（これは、電話番号である。）への回線交換を利用した発信をさせて（ステップＳ３０７）、呼が接続された後、通話をさせて、回線交換を利用した予約発信に係る通信処理を終了する（ステップＳ３０５）。この発信をさせる際、ステップＳ３０２で指定を受けた個別信号チャネルを引き継いで利用させる。
【００８１】
選択された予約発信の発信種別３３ａが「通話による伝言登録」と判断された場合、予約発信処理部３２は、通話制御部２１に、その発信種別３３ａと関連付けられた発信先３３ｂ（これは、電話番号である。）への回線交換を利用した発信をさせ、呼が接続された後、その発信種別３３ａと関連付けられた付属情報３３ｃ（これは、音声情報である。）を送信させて（ステップＳ３０８）、通信完了を報知して、回線交換を利用した予約発信に係る通信処理を終了する（ステップＳ３０５）。この発信をさせる際、ステップＳ３０２で指定を受けた個別信号チャネルを引き継いで利用させる。
【００８２】
選択された予約発信の発信種別３３ａが「ショートメッセージ送信」と判断された場合、予約発信処理部３２は、ＳＭ送受信部２２に、その発信種別３３ａと関連付けられた発信先３３ｂ（これは、電話番号である。）へ回線交換を利用した発信をさせ、呼が接続された後、その発信種別３３ａと関連付けられた付属情報３３ｃ（これは、ショートメッセージである。）を送信させて（ステップＳ３０９）、通信完了を報知して、回線交換を利用した予約発信に係る通信処理を終了する（ステップＳ３０５）。この発信をさせる際、ステップＳ３０２で指定を受けた個別信号チャネルを引き継いで利用させる。
【００８３】
以上の説明で、ステップＳ３０２の個別信号チャネルの指定の受信がされない場合、並びに、ステップＳ３０７、ステップＳ３０８、及びステップＳ３０９で発信が失敗した場合（送受信部１３が個別トラフィックチャネルの割り当てを受けられなかった場合である。）、予約発信処理部３２は、予約発信に係る通信に失敗したとして、回線交換を利用した予約発信に係る通信処理を終了する（図示せず）。この失敗の際、予約発信処理部３２は、待ち回数に１を加えても良い。
【００８４】
以上の説明で、ステップＳ３０２の個別信号チャネルの指定を受信させることにより、ステップＳ３０３で発信可能となったことを報知したにも係らず、ステップＳ３０７、ステップＳ３０８、及びステップＳ３０９で発信が失敗する可能性を減らすことによって、装置の使用者が違和感を覚えることを減らすことができる。なぜなら、これらのステップで、個別信号チャネルの割り当てを受けられないために通信に失敗することがないからである。
【００８５】
しかし、ステップＳ３０２の個別信号チャネルの指定を受信させる動作は、必須ではなく、送受信部１３への発信要求は、ステップＳ３０７、ステップＳ３０８、及びステップＳ３０９で開始されるとしても良い。このようにすれば、送受信部１３がステップＳ３０２の動作に対応して個別信号チャネルの割り当てを受けてから、ステップＳ３０７、ステップＳ３０８、及びステップＳ３０９の動作に対応して個別トラフィックチャネルの要求を送信するまでの間、上記個別信号チャネルを利用しないことがなく、チャネルの活用が可能である。
【００８６】
以上の説明で、ステップＳ３０３の装置の使用者による予約発信の選択は、必ずしも必須ではない。例えば、回線交換を利用して行われる予約発信が１つの場合には不要である。また、その予約発信が複数の場合、予約発信処理部３２は、その予約発信の１つを所定の選択基準によって選択する。選択基準は、例えば、予約発信には、予約発信記憶部３３に記憶させた時刻が含まれるとし、その時刻が早いものとする。また、発信種別３３ａに依る。例えば、発信種別３３ａが「通話」であるものとする。「通話」であるものは、装置の使用者にとって重要と考えられるからである。また、ステップＳ３０４の予約発信の選択を行わない場合、ステップＳ３０３の報知は、行う必要はない。
【００８７】
しかしながら、発信種別３３ａが「通話」である予約発信が選択される場合、発信可能となったことの報知と、装置の使用者の選択の入力が強く望まれる。なぜなら、ステップＳ３０７で、呼が接続された後、装置の使用者の送話の入力なしでは、通信網を意味なく専有することになる。そこで、呼の接続の前に、装置の使用者が装置の側にいることを確認するためである。ここで、装置の使用者の選択の入力は、選択であるか、承認であるか等の名目を問わず、また、入力部１６のキー操作であるか、マイクロフォン１４ｂからの音声入力であるかを問わない。
【００８８】
なお、予約発信処理部３２は、例えば、使用者による入力によって、使用者は装置の側にいるとの事前の確認が得られている場合に限り、上記選択の入力が行なわれないにも拘らず発信種別３３ａが「通話」である予約発信を選択しても良い。例えば、発信を失敗した部が通話制御部２１である場合、発信予約部３１は、スピーカ１４ａからその発信に係る通話の緊急度が特に高く、かつ、使用者は装置の側にいることを確かめる音声を発生させる。その音声に対し、マイクロフォン１４ｂから、肯定の回答が入力されたことが予約発信として記憶されている場合、予約発信処理部３２は、上記選択の入力が行なわれないにも拘らず発信種別３３ａが「通話」である予約発信を選択する。
【００８９】
一方、上記報知に応じた上記選択の入力が所定の時間が経過するまでに行なわれない場合、予約発信処理部３２は、発信種別３３ａが「通話」でない予約発信が選択されたとしても良い。
【００９０】
次に、ステップＳ２１３のパケット交換を利用した予約発信に係る通信処理を図６に示すフローチャートを参照して詳述する。なお、この処理は、図５を参照して説明したステップＳ２０７の処理と類似している。共通な部分は簡明な説明に止め、同じ説明を繰り返さない。
【００９１】
予約発信処理部３２は、パケット交換を利用した予約発信に係る通信処理を開始し（ステップＳ４０１）、送受信部１３に個別信号チャネルの指定を受信させる（ステップＳ４０２）。そして、表示部１５にパケット交換を利用して行われる予約発信を識別する情報の一覧を表示させて、発信可能となったことを報知する。更に、その一覧の中から、入力部１６の所定のキー操作によって処理する予約発信を選択させ（ステップＳ４０３）、処理すべき予約発信が選択されたか否かを判断する（ステップＳ４０４）。ステップＳ４０２〜ステップＳ４０４動作は、パケット交換を利用して行われる予約発信を処理対象とすることを除いて、ステップＳ３０２〜ステップＳ３０４の動作と同じである。
【００９２】
処理すべき予約発信が選択されなかった場合、予約発信処理部３２は、パケット交換を利用した予約発信に係る通信処理を終了する（ステップＳ４０５）。選択された場合、予約発信処理部３２は、選択された予約発信の発信種別３３ａを判断する（ステップＳ４０６）。その発信種別３３ａが「通話」と判断された場合、予約発信処理部３２は、その発信をパケット交換を利用して行うことの可否を判断する（ステップＳ４０７）。
【００９３】
この可否の判断は、その発信種別３３ａと関連付けられた交換３３ｄが「パケット交換」である場合、可と判断し、それ以外の場合（値が記憶されていない場合。）、不可と判断する。及び／又は、所定のメッセージを表示部１５に表示させてこの可否の入力を促し、この表示に応じて入力部１６から入力されたキー操作に基づいて判断する。又は、常に可と判断する。
【００９４】
不可と判断された場合、予約発信処理部３２は、パケット交換を利用した予約発信に係る通信処理を終了する（ステップＳ４０５）。可と判断された場合、予約発信処理部３２は、通話制御部２１に、上記発信種別３３ａと関連付けられた発信先３３ｂへのパケット交換を利用した発信をさせて（ステップＳ４０８）、呼が接続された後、通話をさせて、パケット交換を利用した予約発信に係る通信処理を終了する（ステップＳ４０５）。ステップＳ４０８の動作は、利用する交換が異なる他は、ステップＳ３０７の動作と同じである。
【００９５】
ステップＳ４０６で選択された予約発信の発信種別３３ａが「通話による伝言登録」と判断された場合、予約発信処理部３２は、その発信をパケット交換を利用して行うことの可否を判断する（ステップＳ４０９）。ステップＳ４０９の動作は、ステップＳ４０７の動作と同じである。そして、不可と判断された場合、予約発信処理部３２は、パケット交換を利用した予約発信に係る通信処理を終了する（ステップＳ４０５）。
【００９６】
可と判断された場合、通話制御部２１に、その発信種別３３ａと関連付けられた発信先３３ｂへのパケット交換を利用した発信をさせ、呼が接続された後、その発信種別３３ａと関連付けられた付属情報３３ｃを送信させて（ステップＳ４１０）、通信完了を報知して、パケット交換を利用した予約発信に係る通信処理を終了する（ステップＳ４０５）。ステップＳ４１０の動作は、利用する交換が異なる他は、ステップＳ３０８の動作と同じである。
【００９７】
ステップＳ４０６で選択された予約発信の発信種別３３ａが「ショートメッセージ送信」と判断された場合、予約発信処理部３２は、ＳＭ送受信部２２に、その発信種別３３ａと関連付けられた発信先３３ｂへパケット交換を利用した発信をさせ、呼が接続された後、その発信種別３３ａと関連付けられた付属情報３３ｃを送信させて（ステップＳ４１１）、通信完了を報知して、パケット交換を利用した予約発信に係る通信処理を終了する（ステップＳ４０５）。ステップＳ４１１の動作は、利用する交換が異なる他は、ステップＳ３０９の動作と同じである。
【００９８】
ステップＳ４０６で選択された予約発信の発信種別３３ａが「電子メール送信」と判断された場合、予約発信処理部３２は、電子メール送受信部２３に、その発信種別３３ａと関連付けられた発信先３３ｂ（これは、電子メールアドレスである。）宛ての、その発信種別３３ａと関連付けられた付属情報３３ｃ（これは、電子メールである。）をメールサーバ装置へ送信させて（ステップＳ４１２）、通信完了を報知して、パケット交換を利用した予約発信に係る通信処理を終了する（ステップＳ４０５）。この送信の際、ステップＳ４０２で指定を受けた個別信号チャネルを引き継いで利用させる。
【００９９】
ステップＳ４０６で選択された予約発信の発信種別３３ａが「ウェブサーバへのアクセス」と判断された場合、予約発信処理部３２は、ブラウザ部２４に、その発信種別３３ａと関連付けられた発信先３３ｂ（これは、ウェブページアドレスである。）で識別されるウェブサーバ装置へアクセスさせ、入力部１６の所定のキー操作によってそのアクセスが終了すると（ステップＳ４１３）、パケット交換を利用した予約発信に係る通信処理を終了する（ステップＳ４０５）。このアクセスの際、ステップＳ４０２で指定を受けた個別信号チャネルを引き継いで利用させる。
【０１００】
ステップＳ４０６で選択された予約発信の発信種別３３ａが「ウェブサーバによる伝言登録」と判断された場合、予約発信処理部３２は、ブラウザ部２４に、その発信種別３３ａと関連付けられた発信先３３ｂ（これは、ウェブページアドレスである。）で識別されるウェブサーバ装置へアクセスさせ、その発信種別３３ａと関連付けられた付属情報３３ｃ（これは、文字情報である。）を送信させて（ステップＳ４１４）、通信完了を報知して、パケット交換を利用した予約発信に係る通信処理を終了する（ステップＳ４０５）。このアクセスの際、ステップＳ４０２で指定を受けた個別信号チャネルを引き継いで利用させる。
【０１０１】
以上の説明で、ステップＳ４０２の個別信号チャネルの指定の受信がされない場合、及び、ステップＳ４０８、ステップＳ４１０、ステップＳ４１１、ステップＳ４１２、ステップＳ４１３、及びステップＳ４１４で発信が失敗した場合、予約発信処理部３２は、予約発信に係る通信に失敗したとして、パケット交換を利用した予約発信に係る通信処理を終了する（図示せず）。この失敗の際、予約発信処理部３２は、待ち回数に１を加えても良い。
【０１０２】
なお、ステップＳ４０２の個別信号チャネルの指定を受信させる動作は、必須ではない。また、ステップＳ４０３の装置の使用者による予約発信の選択は、必ずしも必須ではない。しかしながら、発信種別３３ａが「通話」であるものが選択される場合、及び、「ウェブサーバへのアクセス」である予約発信が選択される場合、発信可能となったことの報知と、選択であるか、承認であるか等の名目を問わず、装置の使用者の選択の入力とは強く望まれる。
【０１０３】
なお、予約発信処理部３２は、例えば、使用者による入力部１６の所定のキー操作によって、使用者は装置の側にいるとの事前の確認が得られている場合に限り、上記選択の入力が行なわれないにも拘らず発信種別３３ａが「通話」である、又は、「ウェブサーバへのアクセス」である予約発信を選択しても良い。
【０１０４】
これらの理由等は、図５を参照して説明したステップＳ２０７の動作説明で述べた通りである。また、上記選択の入力が所定の時間が経過するまでに行なわれない場合、予約発信処理部３２は、発信種別３３ａが「通話」でなく、かつ、「ウェブサーバへのアクセス」でない予約発信が選択されたとしても良い。
【０１０５】
以上の説明で、発信先３３ｂと、付属情報３３ｃとは、予約発信記憶部３３に記憶されるとしたが、これに限るものではない。それぞれの予約発信に係る通信を行う処理部内に記憶されるとしても良い。特に、ＳＭ送受信部２２と、電子メール送受信部２３とは、それぞれ未送信のショートメッセージ、未送信の電子メールを記憶する機能を有していることが通常であり、これらを記憶させることは容易である。
【０１０６】
更に、発信種別３３ａが「ショートメール送信」及び「電子メール送信」である予約発信は予約発信記憶部３３に記憶させず、予約発信処理部３２は、予約発信記憶部３３を参照することなくＳＭ送受信部２２と、電子メール送受信部２３とに、それぞれが記憶する未送信のショートメッセージ、未送信の電子メールを送信させても良い。
【０１０７】
以上の説明で、予約発信記憶部３３に記憶される予約発信は、それぞれが独立であるとしたが、これに限るものではない。複数の予約発信が１つのグループをなし、そのグループの一方の予約発信に係る通信が終了した場合、予約発信処理部３２は、そのグループに属する全ての予約発信は予約発信記憶部３３から削除されるとしても良い。
【０１０８】
１つのグループをなす予約発信は、入力部１６の所定のキー操作に従い、発信予約部３１によって決定され、予約発信記憶部３３に記憶される。このように、予約発信をグループとなすことにより、装置の使用者は、複数の予約発信を同じ目的の連絡のために記憶させ、かつ、同じ目的のための通信を重ねて行わないことが可能である。
【０１０９】
１つのグループをなす予約発信の一例は、発信種別３３ａが「通話」である予約発信と、「通話による伝言登録」である予約発信とであり、例えば、専ら通話制御部２１による通話を利用する使用者は、通話を望むものの、伝言によって連絡が取れるなら、通話は不要と考える場合に相当する。また、別の例は、発信種別３３ａが「通話による伝言登録」である予約発信と、「ウェブサーバによる伝言登録」である予約発信とであり、使用者は、いずれの通信によってでも伝言がされれば良いと考える場合に相当する。
【０１１０】
以上の説明で、発信操作が行われた際、発信が規制されていたために失敗した発信を記憶し、発信規制が解除された際、記憶された発信を行うとしたが、これに限るものではない。規制が行われていたか否かを問わず、発信操作が行われた際に失敗した発信を記憶し、その後、記憶された発信を行うとしても良い。規制が行われていない場合であっても、通信網が輻輳状態にある場合、発信が失敗することがある。また、発信が規制されていず、かつ、輻輳状態でないにも係わらず発信が失敗する一例として、移動通信装置が移動通信網のサービス圏外に位置している場合がある。
【０１１１】
以上の説明で、発信が分離規制されているとしたが、これに限るものではない。回線交換と、パケット交換とが一体として規制され、また、規制解除されるとしても良い。このように、一体として規制される場合、発信種別３３ａが「通話」及び「通話による伝言登録」である予約発信の処理の際、予約発信処理部３２は、送受信部１３に個別信号チャネルを受信させた後、使用者の選択に従っていずれの交換を利用するかを決定し、その決定された交換の発信のための個別トラフィックチャネルの割り当てを要求させても良い。この処理は、発信が分離規制されており、かつ、上記の２つの交換が同時に規制解除された際に行われても良い。
【０１１２】
以上の説明で、全ての予約発信は予約発信記憶部３３に記憶され、予約発信処理部３２によって処理されるとしたが、これに限るものではない。通話制御部２１、ＳＭ送受信部２２、電子メール送受信部２３、及びブラウザ部２４のそれぞれが記憶し、処理するとしても良い。
【０１１３】
以上の説明は、本発明を移動通信装置に適用した形態を例にとって行ったが、これに限るものではない。本発明は、パソコンを含む、あらゆる通信装置に適用することが当然に可能である。また、通信を伴うアプリケーションは、通話制御部２１と、ＳＭ送受信部２２と、電子メール送受信部２３と、ブラウザ部２４とであるとしたが、これらに限るものではない。これら以外のアプリケーションであっても、通信の際に装置の使用者が装置の側にいる必要の有無と、利用する交換とによって分類すれば、本発明の適用が当然に可能である。本発明は以上の構成に限定されるものではなく、種々の変形が可能である。
【符号の説明】
【０１１４】
１１  制御部
１１−１  規制状況監視機能
１２ａ  アンテナ
１２ｂ  通信部
１３  送受信部
１４ａ  スピーカ
１４ｂ  マイクロフォン
１４ｃ  通話部
１５  表示部
１６  入力部
２１  通話制御部
２２  ＳＭ送受信部
２３  電子メール送受信部
２４  ブラウザ部
３１  発信予約部
３２  予約発信処理部
３３  予約発信記憶部
３３ａ  発信種別
３３ｂ  発信先
３３ｃ  付属情報
３３ｄ  交換
【図１】
2010273116.tif 000003
【図２】
2010273116.tif 000004
【図３】
2010273116.tif 000005
【図４】
2010273116.tif 000006
【図５】
2010273116.tif 000007
【図６】
2010273116.tif 000008